(57)【要約】  インタリオ凹版印刷のためのブランケット（１）であって、第１の粗さを有する少なくとも１つの第１の領域（１１）が設けられている形式のものにおいて、光学的可変要素を保護するために、第１の粗さに対して小さな粗さを有する所定の第２の粗さおよび／または所定の凹み（１５）および／または第１の領域に対して低い所定の弾性係数を有する少なくとも１つの第２の領域（１２）が設けられている。
2008540171.tif 000002
【特許請求の範囲】
【請求項１】
インタリオ凹版印刷のためのブランケット（１）であって、
第１の粗さを有する少なくとも１つの第１の領域（１１）が設けられている形式のものにおいて、
第１の粗さに対して小さな粗さを有する所定の第２の粗さおよび／または所定の凹み（１５）および／または第１の領域に対して低い所定の弾性係数を有する少なくとも１つの第２の領域（１２）が設けられていることを特徴とする、ブランケット。
【請求項２】
第２の領域（１２）が、印刷領域に配置されていて、かつ証券（４）の、光学的可変要素（５）、特に機能箔または機能インキの少なくとも１つの第２の区分（５２）のための収容部として形成されている、請求項１記載のブランケット。
【請求項３】
第１の領域（１１）と第２の領域（１２）との間にほぼ連続的な移行部が形成されている、請求項１または２記載のブランケット。
【請求項４】
インタリオ凹版印刷法で証券（４）を印刷する方法であって、
証券（４）が、少なくとも１つの光学的可変要素（５）、特に機能箔または機能インキを備えており、圧胴（３）に対向して、第１の粗さを有する少なくとも第１の領域（１１）の設けられたブランケットを備えた受圧胴（２）が配置されている方式のものにおいて、
光学的可変要素（５）を、印刷過程の間、少なくとも部分的にブランケット（１）の第２の領域（１２）と接触させ、
第２の領域（１２）が、第１の粗さに対して小さな所定の第２の粗さおよび／または所定の凹み（１５）および／または第１の領域（１１）に対して低い所定の弾性係数を有していることを特徴とする、インタリオ凹版印刷で証券を印刷する方法。
【請求項５】
証券（４）に光学的可変要素（５）を取り付けたあとで、該証券（４）の、光学的可変要素（５）とは反対側の面に、インタリオ凹版印刷法で印刷を行う、請求項４記載の方法。
【請求項６】
光学的可変要素（５）を、所定の第１の区分（５１）で、第１の領域（１１）と接触させ、所定の第２の区分（５２）で、第２の領域（５２）と接触させる、請求項４または５記載の方法。
【発明の詳細な説明】
【技術分野】
【０００１】
本発明は、インタリオ凹版印刷用のブランケットであって、第１の粗さを有する少なくとも１つの第１の領域が設けられているものに関する。
【０００２】
彫刻凹版印刷とも呼ばれるインタリオ凹版印刷では、高い押圧力で処理されるので、これによって従来慣用の別の印刷法では達成されなかった触知可能な印刷像が得られる。このような触覚性によって、偽造防止手段が成され、したがってインタリオ凹版印刷は、一般的に証券、たとえば銀行券、債権、証書などを印刷する際に用いられる。高い押圧力に基づいて、証券は印刷過程で引き伸ばされて、サイズが変化する。ほぼ均等なサイズ変化ひいては設定可能な許容誤差の維持は、粗い表面を有するブランケットの使用によって達成され、この場合ブランケットの構造は、印刷面とは反対側の面で圧刻される。この面に箔要素が取り付けられている場合、箔要素にブランケットの構造が伝達（転写）され、これによって通常光沢特性において箔品質の集中的な損失が生じる。この場合情報内容の損失も生じ、これによって箔要素の偽造防止価値が低減される。
【０００３】
したがって本発明の課題は、冒頭で述べたような形式のブランケットを改良して、公知の欠点を解消して、箔要素の取り付けられた証券を、箔要素を保護しつつインタリオ凹版印刷で印刷できるようなものを提供することである。
【０００４】
本発明によれば、第１の粗さに対して小さな粗さを有する所定の第２の粗さおよび／または所定の凹みおよび／または第１の領域に対して低い所定の弾性係数を有する少なくとも１つの第２の領域が設けられている。
【０００５】
これによって得られる利点によれば、箔要素の表面構造の変化がほとんど生じず、この場合箔要素の光沢特性はほとんど維持される。第２の領域によって、比較的小さな部分的な印刷が達成され、これによって証券の、第２の領域と接触する部分の損傷はほとんど回避することができる。さらに別の要素でも、第２の領域によって、表面構造は実質的に維持することができる。このことは特に光学的に可変の要素（ここでは機能箔以外にたとえば機能インキを有することができる）で有利である。光学的可変要素は、印刷しようとする面またはこの面と反対側の面に配置することができる。特に証券の両面に、インタリオ凹版印刷を有することもできる。
【０００６】
別の実施形態によれば、第２の領域が、印刷領域に配置されていて、かつ証券の、光学的可変要素、特に機能箔または機能インキの少なくとも１つの第２の区分のための収容部として形成されており、この場合印刷過程の間、収容部は光学的可変要素と協働する。これによって光学的可変要素の品質が、印刷過程の間ほとんど損なわれないよう保証され、この場合光学可変要素は、ブランケットによる印刷のまえに取り付けることができる。この場合光学可変要素の部分的な印刷を行うこともできる。
【０００７】
本発明の別の実施形態によれば、第１の領域と第２の領域との間にほぼ連続的な移行部が形成されており、これによって印刷過程の間、証券の破損を生じさせる恐れのある、証券に掛かる負荷の急な変化を回避することができる。
【０００８】
さらに本発明は、インタリオ凹版印刷で証券を印刷する方法に関しており、ここでは証券は、少なくとも１つの光学的可変要素、特に機能箔または機能インキを備えており、この場合圧胴に対向して、第１の粗さを有する少なくとも第１の領域の設けられたブランケットを備えた受圧胴が配置されている。
【０００９】
本発明の別の課題は、このような方法を改良して、公知の欠点を解消して、箔要素の取り付けられた証券を、箔要素を保護しつつインタリオ凹版印刷で印刷できるようなものを提供することである。
【００１０】
この課題を解決するための本発明の方法によれば、光学的可変要素を、印刷過程の間、少なくとも部分的に、ブランケットの第２の領域と接触させ、第２の領域が、第１の粗さに対して小さな所定の第２の粗さおよび／または所定の凹みおよび／または第１の領域に対して小さな所定の弾性係数を有している。
【００１１】
これによって得られる利点によれば、光学可変要素の表面構造の変化がほとんど生じず、この場合光学可変要素の特性は実質的に維持される。第２の領域によって、比較的小さな部分的な印刷が達成され、これによって証券、特に光学可変要素の、第２の領域と接触する部分の破損はほとんど回避することができる。光学可変要素は、印刷しようとする面またはこの面とは反対側の面に配置することができる。特に証券の両面にインタリオ凹版印刷を設けることができる。
【００１２】
本発明の別の方法によれば、証券に光学的可変要素を取り付けたあとで、証券の、光学的可変要素とは反対側の面で、インタリオ凹版印刷法で印刷を行い、これによって光学可変要素は、特に既に紙を製造する際に取り付けることができ、場合によっては少なくとも部分的に紙に埋め込むことができる。
【００１３】
本発明の別の方法によれば、光学的可変要素を、所定の第１の区分で、第１の領域と接触させ、かつ所定の第２の区分で、第２の領域と接触させる。この場合第１の区分では光学的可変素子の、第２の区分とは異なる表面構造が形成され、これによってさらなる偽造防止手段を成すことができる。
【００１４】
次に本発明の実施例を図示し、詳しく説明する。
【００１５】
図１には、本発明による、インタリオ凹版印刷のためのブランケット１の１実施例を示した。鋼板彫刻凹版印刷としても公知のインタリオ凹版印刷では、比較的高い押圧力で印刷が行われ、これによって触感可能な印刷像が形成され、このような印刷像は、従来慣用の別の印刷法では達成されない。この触感は、偽造防止手段を成しており、したがってインタリオ凹版印刷は、一般的に証券４、たとえば銀行券、債権、証書などを印刷する際に用いられる。図２には、圧胴３、ブランケット１を備えた受圧胴（Gegendruckzylinder）２および証券４の構造を概略的に示した。比較的高い押圧力に基づいて、証券４は、印刷過程で引き伸ばされて、サイズが変化する。ほぼ均等なサイズ変化ひいては規定の許容誤差の維持は、粗い表面を有するブランケット１を使用することによって達成され、この場合ブランケット１の構造は、証券４の、印刷面とは反対側の面に圧刻される。平滑な表面を有するブランケット１の使用では、許容されない見当合わせ誤差が生じ、したがって業界では、このようなブランケット１の使用が前提条件となっている。
【００１６】
ブランケット１は、第１の粗さを有する第１の領域１１を備えており、この場合第１の粗さは、所定の許容誤差を維持するよう保証する。したがって第１の領域１１は、粗い表面を有している。図１に示したブランケット１は、連続する第１の領域１１を有している。別の実施例では、第１の領域１１は、互いに分離した部分領域を有することもできる。
【００１７】
さらに少なくとも１つの第２の領域１２が設けられており、第２の領域１２は、第１の領域１１とは異なる表面特性を有している。異なる表面特性によって、ブランケット１の、第１の領域１１に対して異なる印象が証券４に得られる。第２の領域１２は、特に第１の粗さに対して小さな設定可能な所定の第２の粗さおよび／または所定の凹み１５および／または第１の領域１１に対して小さな所定の弾性係数を有することができる。この場合第１の領域に対して第２の領域の異なる点は、製作誤差で上回っており、この場合特に表面特性の違いは意図的に形成され、設定可能である。図２では、第２の領域１２は、第１の領域１１に対して凹部１５を有している。ここでは図示を簡単にするためにこのような実施例を選択した。
【００１８】
第２の領域１２は、既にブランケット１を製造する際に、または後続の作業ステップで、表面の部分的な変化によって形成することができる。第２の領域１２は、とりわけ実質的に平滑な表面を有して形成されている場合、比較的小さな粗さを有しているので、第２の領域１２は、粗い表面を有するブランケット１の部分的な冷間加硫によって製作することができる。さらにブランケット１の表面は、上刷りによって変化させることができ、ここでは一般的な印刷法、特にスクリーン印刷が挙げられる。別の実施例では、第２の領域１２を形成するために接着フィルムまたはラミネートを用いてもよい。さらに第２の領域１２を形成するために、粗い表面を有するブランケット１の前述の処理を組み合わせてよい。ブランケット１の耐用期間を高めるために、第２の表面１２は、望ましくは８０度までの耐熱性、高い耐圧性および高い耐膨張性を有している。
【００１９】
第２の領域１２は、印刷過程の間、証券４の、光学的に可変の要素５、特に機能箔または機能インキと協働するために設けることができる。この場合光学的可変要素５への第１の領域１１の表面構造の圧刻は、効果的に中断することができ、この場合第２の領域１２の異なる表面特性によって、光学的可変要素５の変化は、ほとんど回避することができる。
【００２０】
第１の領域１１と第２の領域１２との間に、ほぼ連続する移行部を形成することができる。これによって印刷過程の間に証券の負荷が突発的に変化する（これにより証券の破損する恐れがある）ことは、ほぼ回避することができる。
【００２１】
印刷過程の間、光学的可変要素５は、少なくとも部分的にブランケット１の第２の領域１２と接触される。この場合光学的可変要素５は、圧胴３と受圧胴２との間のギャップを通ってガイドされる。光学的可変要素５は、証券４の、受圧胴２に接する面にも、また圧胴３に接する面にも配置することができる。
【００２２】
光学的可変要素の不意の変化を回避することのできるこのような方法によって、光学的可変要素５を証券４に取り付けたあとで、証券４の両面をインタリオ凹版印刷によって印刷することができる。この場合特にインタリオ凹版印刷は、光学的可変要素５に部分的に重畳させることができ、これによって証券の高い安全性が達成される。
【００２３】
さらにまた光学的可変要素５は、所定の第１の区分５１で、第１の領域１１と接触させ、かつ所定の第２の区分５２で、第２の領域１２と接触させることができる。これによって光学的可変要素５は、印刷過程の間、第１の区分５１で変化されるが、第２の区分５２ではほとんど変化されない。光学的可変要素５のこのような差は、付加的な偽造防止手段を成す。第１の区分および第２の区分は、形象的に、またはたとえばコードを形成するために形成することができる。
【００２４】
この場合第２の領域１２は、印刷領域に配置されており、印刷領域とは、印刷過程の間証券４の印刷される領域である。第２の領域１２は、少なくとも証券４の光学的可変要素５、特に機能箔または機能インキの第２の区分５２を収容するために形成されている。特に印刷過程に際して複数の証券４が同時に印刷される場合、第２の領域１２は、ラスタ（網目スクリーン）に配置された複数の収容部を有することができる。
【図面の簡単な説明】
【００２５】
【図１】本発明によるブランケットの１実施例を示す平面図である。
【図２】圧胴、受圧胴および証券を概略的に示す側面図である。
【図１】
2008540171.tif 000003
【図２】
2008540171.tif 000004
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
インタリオ凹版印刷のためのブランケット（１）であって、
第１の粗さを有する少なくとも１つの第１の領域（１１）が設けられており、
第１の粗さに対して小さな粗さを有する所定の第２の粗さおよび／または所定の凹み（１５）および／または第１の領域に対して低い所定の弾性係数を有する少なくとも１つの第２の領域（１２）が設けられている形式のものにおいて、
第２の領域（１２）が、印刷領域に配置されていて、かつ証券（４）の、光学的可変要素（５）、特に機能箔または機能インキの少なくとも１つの第２の区分（５２）のための収容部として形成されており、
第２の領域（１２）が、ラスタに配置された複数の収容部を有していることを特徴とする、ブランケット。
【請求項２】
第１の領域（１１）と第２の領域（１２）との間にほぼ連続的な移行部が形成されている、請求項１記載のブランケット。
【請求項３】
インタリオ凹版印刷法で証券（４）を印刷する方法であって、
証券（４）が、少なくとも１つの光学的可変要素（５）、特に機能箔または機能インキを備えており、圧胴（３）に対向して、第１の粗さを有する少なくとも第１の領域（１１）の設けられたブランケットを備えた受圧胴（２）が配置されている方式のものにおいて、
光学的可変要素（５）を、印刷過程の間、少なくとも部分的にブランケット（１）の第２の領域（１２）と接触させ、
第２の領域（１２）が、第１の粗さに対して小さな所定の第２の粗さおよび／または所定の凹み（１５）および／または第１の領域（１１）に対して低い所定の弾性係数を有していることを特徴とする、インタリオ凹版印刷で証券を印刷する方法。
【請求項４】
証券（４）に光学的可変要素（５）を取り付けたあとで、該証券（４）の、光学的可変要素（５）とは反対側の面に、インタリオ凹版印刷法で印刷を行う、請求項３記載の方法。
【請求項５】
光学的可変要素（５）を、所定の第１の区分（５１）で、第１の領域（１１）と接触させ、所定の第２の区分（５２）で、第２の領域（５２）と接触させる、請求項３または４記載の方法。
【手続補正２】
【補正対象書類名】明細書
【補正対象項目名】全文
【補正方法】変更
【補正の内容】
【発明の詳細な説明】
【技術分野】
【０００１】
本発明は、インタリオ凹版印刷のためのブランケットであって、第１の粗さを有する少なくとも１つの第１の領域が設けられており、第１の粗さに対して小さな粗さを有する所定の第２の粗さおよび／または所定の凹みおよび／または第１の領域に対して低い所定の弾性係数を有する少なくとも１つの第２の領域が設けられている形式のものに関する。
【０００２】
彫刻凹版印刷とも呼ばれるインタリオ凹版印刷では、高い押圧力で処理されるので、これによって従来慣用の別の印刷法では達成されなかった触知可能な印刷像が得られる。このような触覚性によって、偽造防止手段が成され、したがってインタリオ凹版印刷は、一般的に証券、たとえば銀行券、債権、証書などを印刷する際に用いられる。高い押圧力に基づいて、証券は印刷過程で引き伸ばされて、サイズが変化する。ほぼ均等なサイズ変化ひいては設定可能な許容誤差の維持は、粗い表面を有するブランケットの使用によって達成され、この場合ブランケットの構造は、印刷面とは反対側の面で圧刻される。この面に箔要素が取り付けられている場合、箔要素にブランケットの構造が伝達（転写）され、これによって通常光沢特性において箔品質の集中的な損失が生じる。この場合情報内容の損失も生じ、これによって箔要素の偽造防止価値が低減される。
【０００３】
欧州特許出願公開第１０２６００４号明細書は、ブランケットに関しており、ブランケットは、横伸張度で異なる表面粗さ、全体表面エネルギまたは極性を有する表面エネルギを有しており、この場合ブランケットは、周方向では一定である。
【０００４】
欧州特許出願公開第１２１６８３２号明細書には、シート印刷機における受圧胴またはシート渡し胴のための胴外周面プロフィールが記載されている。洗浄動作を改善するために、クロム層に表面コーティングが設けられており、この場合表面コーティングは、簡単洗浄層として、５μｍを下回る層厚を有している。
【０００５】
ドイツ連邦共和国特許出願公開第２４５２７５２号明細書には、少なくとも１つの圧胴と圧胴に当接するゴム胴とを備えた、多色オフセット輪転印刷機に設けられた、見当合わせに影響を及ぼすための装置が述べられている。
【０００６】
ドイツ連邦共和国特許出願公開第０８７８３２６号明細書には、印刷機の胴に使用するための筒状のブランケットが述べられている。筒状のブランケットの表面は、２つの領域に分けられている。第１の領域、主領域で、ブランケットはウェブと接触する。第2の領域、縁領域は、ウェブの外側に位置する。筒状のブランケットは、第２の領域で、主領域よりも小さな肉厚を有している。
【０００７】
国際公開第９９／０１２８９号パンフレットには、インラインコーティングのための透過性のブランケットおよびブランケットを使用する方法が述べられている。透明のブランケットは、ボード、紙、箔およびラミネートに被覆体を塗布するために形成された透明の印刷層と、透明の支持層とを有している。
【０００８】
米国特許第２６３８０５０号明細書には、波形起伏部を有するインタリオ印刷のための印刷ローラが記載されている。波形起伏部は、印刷エレメントの表面に様々な深さを有して形成されている。
【０００９】
米国特許第３８１７２０９号明細書には、物体、特に胴、アルミニウムブシュまたは鋼ブシュにグラビア塗装する方法が記載されている。印刷パターンもしくは印刷胴のパターンは、３つの領域、中央領域、第１の側部領域および第２の側部領域を備えており、この場合両方の側部領域は、物体の重畳する印刷領域を成す。
【００１０】
米国特許第６１７６５２２号明細書には、偽造防止手段を有する銀行券またはこれに類するものの刻印が記載されている。このために銀行券に、偽造防止手段を有するプラスチック材料から成る透明の領域が設けられている。
【００１１】
米国特許第５２１５９８９号明細書には、多色のブランケットを製造するための装置が記載されている。
【００１２】
米国特許第５４６３９５３号明細書は、盲穴状の凹部を備えた識別カードに印刷を行う装置および方法が述べられている。
【００１３】
したがって本発明の課題は、冒頭で述べたような形式のブランケットを改良して、公知の欠点を解消して、箔要素の取り付けられた証券を、箔要素を保護しつつインタリオ凹版印刷で印刷できるようなものを提供することである。
【００１４】
本発明によれば、第２の領域が、印刷領域に配置されていて、かつ証券の、光学的可変要素、特に機能箔または機能インキの少なくとも１つの第２の区分のための収容部として形成されており、第２の領域が、ラスタに配置された複数の収容部を有している。これによって得られる利点によれば、箔要素の表面構造の変化がほとんど生じず、この場合箔要素の光沢特性はほとんど維持される。第２の領域によって、比較的小さな部分的な印刷が達成され、これによって証券の、第２の領域と接触する部分の損傷はほとんど回避することができる。さらに別の要素でも、第２の領域によって、表面構造は実質的に維持することができる。このことは特に光学的に可変の要素（ここでは機能箔以外にたとえば機能インキを有することができる）で有利である。光学的可変要素は、印刷しようとする面またはこの面と反対側の面に配置することができる。特に証券の両面に、インタリオ凹版印刷を有することもできる。
【００１５】
これによって光学的可変要素の品質が、印刷過程の間ほとんど損なわれないよう保証され、この場合光学可変要素は、ブランケットによる印刷のまえに取り付けることができる。この場合光学可変要素の部分的な印刷を行うこともできる。
【００１６】
本発明の別の実施形態によれば、第１の領域と第２の領域との間にほぼ連続的な移行部が形成されており、これによって印刷過程の間、証券の破損を生じさせる恐れのある、証券に掛かる負荷の急な変化を回避することができる。
【００１７】
さらに本発明は、インタリオ凹版印刷で証券を印刷する方法に関しており、ここでは証券は、少なくとも１つの光学的可変要素、特に機能箔または機能インキを備えており、この場合圧胴に対向して、第１の粗さを有する少なくとも第１の領域の設けられたブランケットを備えた受圧胴が配置されている。
【００１８】
本発明の別の課題は、このような方法を改良して、公知の欠点を解消して、箔要素の取り付けられた証券を、箔要素を保護しつつインタリオ凹版印刷で印刷できるようなものを提供することである。
【００１９】
この課題を解決するための本発明の方法によれば、光学的可変要素を、印刷過程の間、少なくとも部分的に、ブランケットの第２の領域と接触させ、第２の領域が、第１の粗さに対して小さな所定の第２の粗さおよび／または所定の凹みおよび／または第１の領域に対して小さな所定の弾性係数を有している。
【００２０】
これによって得られる利点によれば、光学可変要素の表面構造の変化がほとんど生じず、この場合光学可変要素の特性は実質的に維持される。第２の領域によって、比較的小さな部分的な印刷が達成され、これによって証券、特に光学可変要素の、第２の領域と接触する部分の破損はほとんど回避することができる。光学可変要素は、印刷しようとする面またはこの面とは反対側の面に配置することができる。特に証券の両面にインタリオ凹版印刷を設けることができる。
【００２１】
本発明の別の方法によれば、証券に光学的可変要素を取り付けたあとで、証券の、光学的可変要素とは反対側の面で、インタリオ凹版印刷法で印刷を行い、これによって光学可変要素は、特に既に紙を製造する際に取り付けることができ、場合によっては少なくとも部分的に紙に埋め込むことができる。
【００２２】
本発明の別の方法によれば、光学的可変要素を、所定の第１の区分で、第１の領域と接触させ、かつ所定の第２の区分で、第２の領域と接触させる。この場合第１の区分では光学的可変素子の、第２の区分とは異なる表面構造が形成され、これによってさらなる偽造防止手段を成すことができる。
【００２３】
次に本発明の実施例を図示し、詳しく説明する。
【００２４】
図１には、本発明による、インタリオ凹版印刷のためのブランケット１の１実施例を示した。鋼板彫刻凹版印刷としても公知のインタリオ凹版印刷では、比較的高い押圧力で印刷が行われ、これによって触感可能な印刷像が形成され、このような印刷像は、従来慣用の別の印刷法では達成されない。この触感は、偽造防止手段を成しており、したがってインタリオ凹版印刷は、一般的に証券４、たとえば銀行券、債権、証書などを印刷する際に用いられる。図２には、圧胴３、ブランケット１を備えた受圧胴（Gegendruckzylinder）２および証券４の構造を概略的に示した。比較的高い押圧力に基づいて、証券４は、印刷過程で引き伸ばされて、サイズが変化する。ほぼ均等なサイズ変化ひいては規定の許容誤差の維持は、粗い表面を有するブランケット１を使用することによって達成され、この場合ブランケット１の構造は、証券４の、印刷面とは反対側の面に圧刻される。平滑な表面を有するブランケット１の使用では、許容されない見当合わせ誤差が生じ、したがって業界では、このようなブランケット１の使用が前提条件となっている。
【００２５】
ブランケット１は、第１の粗さを有する第１の領域１１を備えており、この場合第１の粗さは、所定の許容誤差を維持するよう保証する。したがって第１の領域１１は、粗い表面を有している。図１に示したブランケット１は、連続する第１の領域１１を有している。別の実施例では、第１の領域１１は、互いに分離した部分領域を有することもできる。
【００２６】
さらに少なくとも１つの第２の領域１２が設けられており、第２の領域１２は、第１の領域１１とは異なる表面特性を有している。異なる表面特性によって、ブランケット１の、第１の領域１１に対して異なる印象が証券４に得られる。第２の領域１２は、特に第１の粗さに対して小さな設定可能な所定の第２の粗さおよび／または所定の凹み１５および／または第１の領域１１に対して小さな所定の弾性係数を有することができる。この場合第１の領域に対して第２の領域の異なる点は、製作誤差で上回っており、この場合特に表面特性の違いは意図的に形成され、設定可能である。図２では、第２の領域１２は、第１の領域１１に対して凹部１５を有している。ここでは図示を簡単にするためにこのような実施例を選択した。
【００２７】
第２の領域１２は、既にブランケット１を製造する際に、または後続の作業ステップで、表面の部分的な変化によって形成することができる。第２の領域１２は、とりわけ実質的に平滑な表面を有して形成されている場合、比較的小さな粗さを有しているので、第２の領域１２は、粗い表面を有するブランケット１の部分的な冷間加硫によって製作することができる。さらにブランケット１の表面は、上刷りによって変化させることができ、ここでは一般的な印刷法、特にスクリーン印刷が挙げられる。別の実施例では、第２の領域１２を形成するために接着フィルムまたはラミネートを用いてもよい。さらに第２の領域１２を形成するために、粗い表面を有するブランケット１の前述の処理を組み合わせてよい。ブランケット１の耐用期間を高めるために、第２の表面１２は、望ましくは８０度までの耐熱性、高い耐圧性および高い耐膨張性を有している。
【００２８】
第２の領域１２は、印刷過程の間、証券４の、光学的に可変の要素５、特に機能箔または機能インキと協働するために設けることができる。この場合光学的可変要素５への第１の領域１１の表面構造の圧刻は、効果的に中断することができ、この場合第２の領域１２の異なる表面特性によって、光学的可変要素５の変化は、ほとんど回避することができる。
【００２９】
第１の領域１１と第２の領域１２との間に、ほぼ連続する移行部を形成することができる。これによって印刷過程の間に証券の負荷が突発的に変化する（これにより証券の破損する恐れがある）ことは、ほぼ回避することができる。
【００３０】
印刷過程の間、光学的可変要素５は、少なくとも部分的にブランケット１の第２の領域１２と接触される。この場合光学的可変要素５は、圧胴３と受圧胴２との間のギャップを通ってガイドされる。光学的可変要素５は、証券４の、受圧胴２に接する面にも、また圧胴３に接する面にも配置することができる。
【００３１】
光学的可変要素の不意の変化を回避することのできるこのような方法によって、光学的可変要素５を証券４に取り付けたあとで、証券４の両面をインタリオ凹版印刷によって印刷することができる。この場合特にインタリオ凹版印刷は、光学的可変要素５に部分的に重畳させることができ、これによって証券の高い安全性が達成される。
【００３２】
さらにまた光学的可変要素５は、所定の第１の区分５１で、第１の領域１１と接触させ、かつ所定の第２の区分５２で、第２の領域１２と接触させることができる。これによって光学的可変要素５は、印刷過程の間、第１の区分５１で変化されるが、第２の区分５２ではほとんど変化されない。光学的可変要素５のこのような差は、付加的な偽造防止手段を成す。第１の区分および第２の区分は、形象的に、またはたとえばコードを形成するために形成することができる。
【００３３】
この場合第２の領域１２は、印刷領域に配置されており、印刷領域とは、印刷過程の間証券４の印刷される領域である。第２の領域１２は、少なくとも証券４の光学的可変要素５、特に機能箔または機能インキの第２の区分５２を収容するために形成されている。特に印刷過程に際して複数の証券４が同時に印刷される場合、第２の領域１２は、ラスタ（網目スクリーン）に配置された複数の収容部を有することができる。
【図面の簡単な説明】
【００３４】
【図１】本発明によるブランケットの１実施例を示す平面図である。
【図２】圧胴、受圧胴および証券を概略的に示す側面図である。
【国際調査報告】
2008540171.tif 000005
2008540171.tif 000006
2008540171.tif 000007
2008540171.tif 000008
2008540171.tif 000009
2008540171.tif 000010